(57)【要約】      （修正有）【課題】股下寸法の調整は容易でありながら、ズボンの前面側・背面側での折り返し部のダレを抑制できる股下寸法調整可能なズボンを提供する。【解決手段】ズボンの脇線縫い代部(５)の裾丈方向に所定間隔で被係止部を(８)配置するとともに、裾口部に係止具(７)を位置させた股下寸法調整可能なズボンである。裾口部における脇線縫い代部(５)と対応する部分に二等辺三角形状の当て布(６)を縫着し、この当て布(６)の頂角部分に係止具(７)となるボタンを配置し、脇線縫い代部(５)に配置する各被係止部(８)を裾丈方向と直交する状態で上下に並設された一対の平ゴムを所定の間隔を隔てて位置させて形成してある。【選択図】図２
2017179662.tif 000002
【特許請求の範囲】
【請求項１】
ズボンの脇線縫い代部(５)の裾丈方向に所定間隔で被係止部(10)を配置するとともに、裾口部に係止具(９)を位置させた股下寸法調整可能なズボンであって、
裾口部における脇線縫い代部(５)と対応する部分に二等辺三角形状の当て布(６)を縫着し、この当て布(６)の頂角部分に係止具(９)となるボタンを配置し、脇線縫い代部(５)に配置する各被係止部(10)を裾丈方向と直交する状態で上下に並設された一対の平ゴムを所定の間隔を隔てて位置させて形成してあることを特徴とする股下寸法調整可能なズボン。
【請求項２】
当て布(６)が、ズボンの表生地と共布である請求項１に記載の股下寸法調整可能なズボン。
【請求項３】
１つの当て布(６)の底辺長さが、裾口円周の略１/４である請求項１または請求項２に記載の股下寸法調整可能なズボン。
【発明の詳細な説明】
【技術分野】
【０００１】
本発明は、股下寸法の調整が容易なズボンに関する。
【背景技術】
【０００２】
通常、飲食店を中心とするサービス業などでは、スタッフにユニフォームを貸与しているが、スタッフの入れ替わりに対応するために、貸与するためのユニフォームを体格に応じて複数種類ストックをしておかなければならない。特にズボンはウエスト寸法と股下寸法が多岐にわたることが多い。
【０００３】
このため、近年、ズボンの股下寸法を容易に調整変更できるようにしたものが提案されている。このような股下寸法を調整できるズボンとして、例えば、ズボンの脇線縫い代部分に複数の雌型スナップを裾丈方向で所定の間隔を隔てて配置するとともに、雄型スナップをズボンの下端部分に配置して、裾部分を内側に折り返して雄型スナップを選択した雌型スナップに係合させることで、裾丈を調整するようにしたもの(特許文献１)や、ズボンの脇線縫い代部分に面ファスナーの一方の係合片を縫着するとともに、ズボンの裾口内側での脇線対応部分に面ファスナーの他方の係合片を縫着し、裾部分を内側に折り返して、裾口に配置した面ファスナー係合片を脇線縫い代部分に配置した係合片に係着させることで裾丈を調整するようにしたもの(特許文献２)が知られている。
【０００４】
また、テープ状の本体生地に所定間隔をあけて複数のスリットを形成するとともに、該テープ状生地本体の一方の端部にボタンを形成した裾上げ具をズボンの脇線縫い代部に縫着して、ズボンの裾口を内側に折り返し、選択したスリットにボタンを止めつけることで裾丈を調整するようにしたズボンの裾上げ具(特許文献３)も知られている。
【先行技術文献】
【特許文献】
【０００５】
【特許文献１】特許第３９８４２６５号公報
【特許文献２】実開昭５４‐１７１９１４号公報
【特許文献３】意匠登録第１４５７８３０号公報
【発明の概要】
【発明が解決しようとする課題】
【０００６】
前述のズボンの股下寸法調整技術は、脇線の縫い代部分に形成した被係合部と、裾口内側の脇線の縫い代部に配置した係合具とを、裾部を内側に折り返して係合させることで股下寸法(裾丈)を調整するようにしていることから、その止め付け部が左右各筒状部分での脇線縫い代部分だけであることから、各筒状部分で周方向２点保持となり、ズボンの前面側(つま先側)や背面側(踵側)では十分な形態保持ができず、その結果、折り返し部分がダレてくるという問題があった。
【０００７】
本発明は、このような点に鑑み提案されたもので、股下寸法の調整は容易でありながら、ズボンの前面側・背面側での折り返し部のダレを抑制できる股下寸法調整可能なズボンを提供することを目的とする。
【課題を解決するための手段】
【０００８】
上述の目的を達成するために、請求項１に記載した本発明は、ズボンの脇線縫い代部の裾丈方向に所定間隔で被係止部を配置するとともに、裾口部に係止具を位置させた股下寸法調整可能なズボンであって、裾口部における脇線縫い代部と対応する部分に二等辺三角形状の当て布を縫着し、この当て布の頂角部分に係止具となるボタンを配置し、脇線縫い代部に配置する各被係止部を裾丈方向と直交する状態で上下に並設された一対の平ゴムを所定の間隔を隔てて位置させて形成してあることを特徴としている。
【０００９】
また、請求項２に記載した本発明は、前記請求項１に記載の構成に加えて、当て布が、ズボンの表生地と共布であることを特徴とし、請求項３に記載した本発明は、請求項１または請求項２に記載の構成に加えて、１つの当て布の底辺長さが、裾口円周の略１/４であることを特徴としている。
【発明の効果】
【００１０】
本発明では、二等辺三角形状の当て布を使用して、裾口部を広い範囲で持ち上げることになるから、当て布が縫着されていない裾口部分であっても垂れ下がることがなく、所望の直線裾口を維持することが可能となる。また、当て布の頂角部分に配置したボタンを係止する各被係止部を脇線縫い代部に裾丈方向と直交する状態で上下に並設された一対の平ゴムで構成してあることから、係止具であるボタンの係合を容易に行うことができる。
【図面の簡単な説明】
【００１１】
【図１】本発明の一実施形態を示す側面図である。
【図２】要部の縦断正面図である。
【図３】裾口部分の取り出し斜視図である。
【発明を実施するための形態】
【００１２】
本発明を適用したズボン(１)は、前身頃(２)と後身頃(３)の生地を外面側と内股側とでそれぞれ縫合して脚を挿入する脚挿入筒体(４)を形成しており、その脚挿入筒体(４)の内面には前身頃(２)と後身頃(３)の縫合部である脇線縫い代部(５)が上下方向に形成されている。
【００１３】
図２及び図３に示すように、各脚挿入筒体(４)の脇線縫い代部(５)に対応する個所に二等辺三角形状の当て布(６)が縫着してある。この当て布(６)はその底辺部分(６a)が各脚挿入筒体(４)の裾端末を処理するために裾口の折返部での上端縫合部(７)に縫合されるとともに、各脚挿入筒体(４)の折返し形成された裾口部(８)での下縁に対応する個所での内側に縫合してある。また、この当て布(６)の頂角近傍部での脇線縫い代部(５)と対向する面には係止具(９)となるボタンが縫着してある。
【００１４】
一方、脇線縫い代部(５)には、幅の狭い１本のゴム紐(平ゴム)を上下に並ぶ状態に折り返すことで形成した被係止部(10)が、裾丈方向で上下に指定の間隔を隔てて複数配置してあり、この被係止部(10)は脇線縫い代部(５)の両端縁よりの個所に縫合してある。
【００１５】
前記した当て布(６)はズボンの表生地と共布で形成してあり、その裾口部(８)と対応する個所での幅寸法は裾口の周長寸法の略１/４の長さを有している。当て布(６)の裾口対応部での幅をこのように形成することで、持ち上げ力の作用しない裾口部(８)の範囲を狭くすることができ、裾口折返部のダレを抑制することができる。そして、当て布(６)の裾口部(８)での下縁に対応する個所を裾口部(８)の内面側に逢着してあることから、裾丈を調整すべく上側の被係止部(10)に係止具(９)を止めつけた際に、内側に折り返された裾口部(８)に対して当て布(６)同士が重なりあうことがなくなり、裾口部分のゴワツキを抑制することができる。
【００１６】
また、平ゴムを上下に並ぶ状態に配置してボタンホールとなる被係止支部(10)を形成していることから、裾部分でのゴワツキが少なくなるうえ、係止具(９)を構成しているボタンが掛け留め操作を行いやすくなっている。
【００１７】
上記した実施形態では、当て布(６)をズボンの表生地と共布で構成しているが、別生地であってもよい。
【産業上の利用可能性】
【００１８】
本発明は、貸与するためのユニフォームのズボンに限らず、貸衣装のズボンなど着用者が頻繁に変わるズボンに適用することができる。
【符号の説明】
【００１９】
５…脇線縫い代部、６…当て布、６a…当て布の底辺部分、９…係止具、10…被係止部。
【図１】
2017179662.tif 000003
【図２】
2017179662.tif 000004
【図３】
2017179662.tif 000005